(57)【要約】 【課題】小児用ＩＣカードが有効期限切れになった場合であっても自動改札機で継続使用可能な有効期限切れ通知システム、自動改札機及び上位装置を提供する。【解決手段】ＩＣカードを発行する定期券発行機又は窓口機などにおいて、ＩＣカードに生年月日・名前などの個人情報と、Ｅメールアドレス・電話番号などの通知先情報及び小児用ＩＣカードが有効期限切れの際、券種を小児から大人へ自動変更する自動券種変更フラグのオン、オフ情報を登録する。自動改札機において、小児用ＩＣカードが有効期限切れで自動券種変更フラグがオン（自動変更する）の場合、券種を小児から大人に変更し、チャージ機能を有効にして乗車情報を判定し、当該乗車券の識別情報を上位サーバに送信する。上位サーバは、自動改札機から受信した識別情報をインデックスとして検索したＥメールアドレス又は電話番号に有効期限切れメッセージを通知する。【選択図】  図１
2011113507.tif 000002
【特許請求の範囲】
【請求項１】
小児乗車券として利用可能なＩＣカードを発行するＩＣカード発行手段と、このＩＣカード発行手段によって発行されたＩＣカードの乗車情報を判定することにより利用者の通行の可否を行う自動改札機と、前記ＩＣカード発行手段及び前記自動改札機とネットワークを介して通信可能に接続された上位装置と、を有する有効期限切れ通知システムであって、
前記ＩＣカード発行手段は、
個人情報若しくは乗車情報からなる第１の情報、通知先情報からなる第２の情報、又は自動券種変更情報からなる第３の情報を入力する操作画面及び当該操作画面の表示内容に基づいて情報を入力することのできる入力手段からなる操作表示手段と、
を備え、
前記自動改札機は、
ＩＣカードの前記第１の情報に基づく有効期限切れを判定する有効期限切判定手段と、
この有効期限切判定手段による判定の結果、当該ＩＣカードが有効期限切れの場合、さらに、第３の情報に基づく自動券種変更情報の有無を判定する自動券種変更判定手段と、
この自動券種変更判定手段による判定の結果、自動券種変更フラグがオンのとき、前記ＩＣカードの券種を小児から大人に変更する自動券種変更手段と、
この自動券種変更手段による変更に基づき大人乗車券として当該自動改札機で乗車判定を行う乗車判定手段と、
当該ＩＣカードの識別情報を読み込み、読み込んだ識別情報を上位サーバに送信する識別情報送信手段と、を備え、
前記上位装置は、
前記自動改札機の識別情報送信手段から送信された識別情報を受信する受信手段と、
この受信手段によって受信した識別情報をインデックスとして第２の情報に基づき通知先情報を検索する通知先情報検索手段と、
この通知先情報にＥメールアドレスが登録されている場合、当該Ｅメールアドレスにメール文章を送信する送信手段と、
前記通知先情報にＥメールアドレスが登録されていないが、電話番号が登録されている場合、当該電話番号先に自動音声案内を行う音声案内手段と、
を備えたことを特徴とする有効期限切れ通知システム。
【請求項２】
前記第１の情報は、
当該ＩＣカードを利用する利用者の個人情報としての生年月日、名前、小児又は大人を示す券種情報と、
乗車区間及び乗車期間示す乗車情報と、を含み、
前記第２の情報は、
通知先情報としてのＥメールアドレス及び電話番号を含み、
前記第３の情報は、
自動券種変更を行うか行わないかを示すフラグのオン、オフ情報を含む
ことを特徴とする請求項１記載の有効期限切れ通知システム。
【請求項３】
小児乗車券として利用可能なＩＣカードを発行するＩＣカード発行手段と、このＩＣカード発行手段によって発行されたＩＣカードの乗車情報を判定することにより利用者の通行の可否を行う自動改札機と、前記ＩＣカード発行機及び前記自動改札機とネットワークを介して通信可能に接続された上位装置と、を有する有効期限切れ通知システムの自動改札機であって、
前記自動改札機は、
ＩＣカードの有効期限切れを判定する有効期限切判定手段と、
この有効期限切判定手段による判定の結果、前記ＩＣカードが有効期限切れの場合、さらに、自動券種変更フラグを判定する自動券種変更判定手段と、
この自動券種変更判定手段による判定の結果、自動券種変更フラグがオンのとき、前記ＩＣカードの券種を小児から大人に変更する自動券種変更手段と、
この自動券種変更手段による変更に基づき大人乗車券として当該自動改札機で乗車判定を行う乗車判定手段と、
当該ＩＣカードの識別情報を読み込み、読み込んだ識別情報を上位サーバに送信する識別情報送信手段と、
を備えたことを特徴とする自動改札機。
【請求項４】
小児乗車券として利用可能なＩＣカードを発行するＩＣカード発行手段と、このＩＣカード発行手段によって発行されたＩＣカードの乗車情報を判定することにより利用者の通行の可否を行う自動改札機と、前記ＩＣカード発行機及び前記自動改札機とネットワークを介して通信可能に接続された上位装置と、を有する有効期限切れ通知システムの上位装置であって、
前記上位装置は、
前記自動改札機の識別情報送信手段から送信された識別情報を受信する受信手段と、
この受信手段によって受信した識別情報をインデックスとして通知先情報を検索する通知先情報検索手段と、
この通知先情報にＥメールアドレスが登録されている場合、当該Ｅメールアドレスにメール文章を送信する送信手段と、
前記通知先情報にＥメールアドレスが登録されていないが、電話番号が登録されている場合、当該電話番号先に自動音声案内を行う音声案内手段と、
を備えたことを特徴とする上位装置。
【発明の詳細な説明】
【技術分野】
【０００１】
本発明は、チャージ機能を有する非接触ＩＣカード又はＩＣチップ搭載型携帯電話機を乗車券として利用する場合の有効期限切れ通知システムに関し、特に小児乗車券の有効期限切れ通知システム、自動改札機及び上位装置に関する。
【背景技術】
【０００２】
近年、チャージ機能を有する非接触ＩＣカード（以下、ＩＣカードと称する。）又はＩＣチップ搭載型形態電話機を乗車券として利用することが可能になってきた。このような乗車券として利用する場合の有効期限切れの通知方法に関し、以下に示す通知方法が知られている。
【０００３】
第１の方法は、定期券の有効期限切れの前に有効期限切れの日又は警告を、利用する自動改札機に表示する方法である（例えば、特許文献１参照。）。
【０００４】
第２の方法は、定期券の有効期限切れの場合の処理方法として、チャージから減額するかどうかを設定する制限情報をＩＣカードに記憶しておき、定期券の有効期限切れの場合、当該制限情報を判別し、制限情報が含まれている場合には通行を阻止する方法である（例えば、特許文献２参照。）。
【先行技術文献】
【特許文献】
【０００５】
【特許文献１】特開２００４−２１８０３号公報（第１２−１３頁、図８）
【特許文献２】特開２００５−２４２９３９号公報（第６−７頁、図７）
【発明の概要】
【発明が解決しようとする課題】
【０００６】
しかしながら、上述した第１の方法は、利用客が警報に気が付かずに利用した結果、有効期限が過ぎてしまい、通行が阻止されてしまうという課題がある。
【０００７】
また、Ｓｕｉｃａ（登録商標）、ＰＡＳＭＯ（登録商標）などのＩＣカードを小児乗車券に使用している場合、小児乗車券の期限切れが発生する１２歳到達後の３月３１日を過ぎて自動改札機で使用された場合には、当該自動改札機によって阻止される。
【０００８】
小児乗車券が１２才到達後の３月３１日を過ぎて使用された場合、当該乗車券には大人料金が適用されるため、自動改札機による通行が一端拒絶される。当該小児乗車券にチャージ残額がある場合であっても通行を拒絶する運用を行っている。
【０００９】
これは、小児料金の使用期限が切れたからといって、小児乗車券を使用して交通機関を利用する利用者の了解を得ずに大人料金体系に自動的に移行するようなことはせず、小児料金としての利用が出来ないことを利用者に通知し、その了解のもとに大人料金を適用する趣旨である。
【００１０】
この場合、現行の運用では、当該乗車券を所持している利用者が駅改札窓口に行き、阻止された小児乗車券を駅係員に手渡す。駅係員は、定期券発行機または窓口機などを操作して、当該乗車券の券種を小児から大人に変更する変更作業を行っている。このように、小児乗車券の期限切れが発生すると必ず駅係員による手作業が発生するという課題があった。
【００１１】
本発明は、上記課題を解決するためになされたもので、小児用ＩＣカードが有効期限切れになった場合、券種を小児から大人に変更してチャージ機能を有効にし、かつ、事前に登録した通知先に小児用ＩＣカードの期限切れ情報を通知することができる有効期限切れ通知システム、自動改札機及び上位装置を提供することを目的とする。
【課題を解決するための手段】
【００１２】
上記目的を達成するために、本発明の請求項１記載の有効期限切れ通知システムは、小児乗車券として利用可能なＩＣカードを発行するＩＣカード発行手段と、このＩＣカード発行手段によって発行されたＩＣカードの乗車情報を判定することにより利用者の通行の可否を行う自動改札機と、前記ＩＣカード発行手段及び前記自動改札機とネットワークを介して通信可能に接続された上位装置と、を有する有効期限切れ通知システムであって、前記ＩＣカード発行手段は、個人情報若しくは乗車情報からなる第１の情報、通知先情報からなる第２の情報、又は自動券種変更情報からなる第３の情報を入力する操作画面及び当該操作画面の表示内容に基づいて情報を入力することのできる入力手段からなる操作表示手段と、を備え、前記自動改札機は、ＩＣカードの前記第１の情報に基づく有効期限切れを判定する有効期限切判定手段と、この有効期限切判定手段による判定の結果、当該ＩＣカードが有効期限切れの場合、さらに、第３の情報に基づく自動券種変更情報の有無を判定する自動券種変更判定手段と、この自動券種変更判定手段による判定の結果、自動券種変更フラグがオンのとき、前記ＩＣカードの券種を小児から大人に変更する自動券種変更手段と、この自動券種変更手段による変更に基づき大人乗車券として当該自動改札機で乗車判定を行う乗車判定手段と、当該ＩＣカードの識別情報を読み込み、読み込んだ識別情報を上位サーバに送信する識別情報送信手段と、を備え、前記上位装置は、前記自動改札機の識別情報送信手段から送信された識別情報を受信する受信手段と、この受信手段によって受信した識別情報をインデックスとして第２の情報に基づき通知先情報を検索する通知先情報検索手段と、この通知先情報にＥメールアドレスが登録されている場合、当該Ｅメールアドレスにメール文章を送信する送信手段と、前記通知先情報にＥメールアドレスが登録されていないが、電話番号が登録されている場合、当該電話番号先に自動音声案内を行う音声案内手段と、を備えたことを特徴とする。
【００１３】
また、本発明の請求項３記載の自動改札機は、小児乗車券として利用可能なＩＣカードを発行するＩＣカード発行手段と、このＩＣカード発行手段によって発行されたＩＣカードの乗車情報を判定することにより利用者の通行の可否を行う自動改札機と、前記ＩＣカード発行機及び前記自動改札機とネットワークを介して通信可能に接続された上位装置と、から構成された有効期限切れ通知システムの自動改札機であって、前記自動改札機は、ＩＣカードの有効期限切れを判定する有効期限切判定手段と、この有効期限切判定手段による判定の結果、前記ＩＣカードが有効期限切れの場合、さらに、自動券種変更フラグを判定する自動券種変更判定手段と、この記自動券種変更判定手段による判定の結果、自動券種変更フラグがオンのとき、前記ＩＣカードの券種を小児から大人に変更する自動券種変更手段と、この自動券種変更手段による変更に基づき大人乗車券として当該自動改札機で乗車判定を行う乗車判定手段と、当該ＩＣカードの識別情報を読み込み、読み込んだ識別情報を上位サーバに送信する識別情報送信手段と、を備えたことを特徴とする。
【００１４】
さらに、請求項４記載の上位装置は、小児乗車券として利用可能なＩＣカードを発行するＩＣカード発行手段と、このＩＣカード発行手段によって発行されたＩＣカードの乗車情報を判定することにより利用者の通行の可否を行う自動改札機と、前記ＩＣカード発行機及び前記自動改札機とネットワークを介して通信可能に接続された上位装置と、から構成された有効期限切れ通知システムの上位装置であって、前記上位装置は、前記自動改札機の識別情報送信手段から送信された識別情報を受信する受信手段と、この受信手段によって受信した識別情報をインデックスとして通知先情報を検索する通知先情報検索手段と、この通知先情報にＥメールアドレスが登録されている場合、当該Ｅメールアドレスにメール文章を送信する送信手段と、前記通知先情報にＥメールアドレスが登録されていないが、電話番号が登録されている場合、当該電話番号先に自動音声案内を行う音声案内手段と、を備えたことを特徴とする。
【発明の効果】
【００１５】
小児乗車券が有効期限切れになった場合、その旨が利用者に通知され、かつ、券種が小児から大人に変更され、チャージ機能が有効になるため、自動改札機で通行が拒否されることなく利用可能になる。その結果、利用者の利便性だけでなく、係員による券種変更操作が不要となることによる利便性が改善される。
【図面の簡単な説明】
【００１６】
【図１】本発明の実施例に係る有効期限切れ通知システム
【図２】図１に示す定期券発行機の操作表示部に表示された定期券情報入力画面
【図３】図２に示す定期券発行機の操作表示部に表示された通知情報入力画面
【図４】図２に示す定期券発行機の操作表示部に表示された自動券種変更画面
【図５】サーバに登録された通知先情報の一例
【図６】ＩＣカードに記憶されたエンコード情報を示す図
【図７】自動券種変更「する」場合又は「しない」場合の通知情報
【図８】本発明に係る小児ＩＣカード発行処理のフローチャート
【図９】自動改札機による券種変更処理のフローチャート
【図１０】サーバによる券種変更処理
【発明を実施するための形態】
【００１７】
本発明の有効期限切れ通知システムは、定期券発行機又は窓口機など乗車券としてのＩＣカードの読取・書込可能な装置と、これらの装置とネットワークを介して接続されたサーバと、利用者が利用する電話、携帯電話、及びＰＣなどの通信端末と通知可能な手段と、を、備え、有効期限切れ小児乗車券が自動改札機で使用された場合、当該ネットワークを介して期限切れ通知を行うと共に当該自動改札機で小児から大人への券種変更を行い自動改札機での通行を可能にする。本発明を実施するための形態は以下、図面を参照して本発明の実施例を説明する。
【実施例】
【００１８】
図１は、本発明の実施例に係るＩＣカードの有効期限切れ通知システムの一例である。本実施例の有効期限切れ通知システム１００は、３層構造を有するネットワークによって構成される。
【００１９】
第１層のネットワーク４０は、各駅に設置された構内ネットワーク（ＬＡＮ）４０であり、この構内ネットワーク４０に定期券発行機（ＩＣカード発行手段）１０、自動改札機２０ａ、２０ｂからなる駅務機器及びサーバ３０ａが接続される。各駅務機器は、この構内ネットワーク４０を介してサーバ３０ａと通信ができる。
【００２０】
第２層のネットワーク１４０には、上記第１層のネットワークを管理する各駅のサーバ及び上位サーバ（上位装置）１３０が接続される。図示した例では、Ａ駅のサーバ３０ａ、Ｂ駅のサーバ３０ｂ、Ｃ駅のサーバ３０ｃ、、、はこのネットワーク１４０を介して上位サーバ１３０と通信ができる。
【００２１】
第３層のネットワーク２４０には、有線・無線電話、Ｅメールなどの通信回線が含まれ、ＩＣカード利用者が所有する通信端末は、このネットワーク２４０に接続される。
【００２２】
ＩＣカード利用者が所有する通信端末には、有線電話又は携帯電話などの無線電話、インターネット又はメール通信可能なＰＣ（Personal Computer）が含まれる。
【００２３】
以上説明した構成を以下に具体的に説明する。
【００２４】
定期券発行機（ＩＣカード発行手段）１０は、本発明に係る非接触ＩＣカード（以下、ＩＣカードと称する。）Ｔを発行する装置で、操作表示部（操作表示手段）１１、ＩＣカード出入口１２、磁気定期券出入口１３、及び申込用紙出入口１４が設けられている。この定期券発行機１０は、構内ネットワーク（ＬＡＮ）４０を介してサーバ３０ａに接続されている。
【００２５】
定期券発行機１０は、構内ネットワーク（ＬＡＮ）４０を介してサーバ３０ａと通信可能に接続されているが、本発明は他の通信手段であっても達成することができるのは言うにおよばない。
【００２６】
自動改札機２０（自動改札機２０ａ、２０ｂの総称）は、駅改札口に設置され、利用者が携帯する上記ＩＣカードＴを当該自動改札機２０にかざすことにより通行することができる装置であり、既に実用化されている。当該ＩＣカードＴを自動改札機２０読取部（図示しない）にかざすと（又は接触すると）、ＩＣカードＴの識別情報、個人情報、乗車情報、自動券種変更情報が読み込まれる。
【００２７】
識別情報は、ＩＣカードＴを識別するための識別番号（図６参照）であり、詳細は後述する。
【００２８】
個人情報は、利用者個人を特定するための情報であり、名前、生年月日、住所、性別、国籍などがあるが、本実施例では、名前及び生年月日を個人情報としているが、これに限定するものではない。
【００２９】
乗車情報は、有効期限、経路、発着駅、利用日付などからなり、ＩＣカードを普通乗車券として又は定期券として利用する場合の乗車情報である。
【００３０】
券種情報は、小児又は大人を区別するための情報で、小児料金又は大人料金の何れかを適用する場合の基本的な情報である。
【００３１】
読み込まれた個人情報及び乗車情報は、サーバ３０に送信され、当該乗車情報の判定が行われる。この判定の結果に基づいて自動改札機２０の改札通路の通行を許可するか否かが決定される。
【００３２】
サーバ３０は、ネットワーク１４０を介して上位サーバ（上位装置）１３０に接続される。
【００３３】
この上位サーバ（上位装置）１３０は、駅務情報の全てを管理する。例えば、料金改定、新駅開業などの駅務情報、ＩＣカード発行又は変更の際の登録情報がデータベースとして保存されている。従って、例えば、各駅に設置されたサーバ３０（サーバ３０ａ、３０ｂ、、、、の総称）から登録データの照会又は乗車券の識別番号に係る登録情報の問合せがあると、当該問合せに係る登録情報をサーバ３０に送信する。
【００３４】
サーバ３０は、上位サーバ１３０から受信した当該登録情報を役務機器である定期券発行機１０、自動改札機２０、窓口機（図示しない）などに送信する。
【００３５】
自動改札機２０は、当該登録情報を基に、利用者の所持する乗車券の券種、乗車期間、料金、などを判別する。この判別の結果に基づいて通行の可否を行う。
【００３６】
通信端末３００は、上位サーバ１３０からネットワーク２４０を経て通知情報が通知される端末機器である。この通信端末３００には、電話３０１、携帯３０２及びＰＣ３０３などが含まれる。上述した通りである。
【００３７】
なお、本実施例に係る小児用ＩＣカードＴは、大人用ＩＣカード同様に取り扱うことができるため、特に区別する場合は大人用ＩＣカード、小児用ＩＣカードと記載して説明するが、特に区別しない場合にはＩＣカードとし、両方を含むものとして説明する。
【００３８】
図２は、定期券発行機１０の操作表示部１１に表示された個人情報若しくは乗車情報からなる第１の情報を入力する定期券情報入力画面１１ｄの一例である。なお、操作表示部１１は、入力した情報を表示する入力画面１１ａ、１１ｂであって当該情報を入力するキーボードでもある。表示画面には必要に応じてソフトウェアキーボードが表示されるため、表示画面であると共に入力手段でもある。従って、特に区別した場合を除いて操作表示部１１というときには、１１ａ、１１ｂ及び項目選択釦１１ｃの総称である。
【００３９】
本実施例では、小児乗車券としての利用可能なＩＣカードからなるＳＦ（ストアードフェア（料金積み増し））乗車券（チャージ乗車券とも称する場合もある。）を定期券として使用する場合を示す。小児乗車券の場合、小児運賃が適用されるのは、１２才到達後の３月３１日までであり、その後は大人運賃が適用される。なお、ここでは、学生割引運賃などその他の割引運賃は、小児、大人という区分と別の運用であるため、考慮しない。
【００４０】
係員はこの定期券情報入力画面１１ｄに定期券の購入に必要な情報を入力する。従って、操作表示部１１は、表示手段であり、また入力手段でもある。定期券情報の入力を終了した場合、次画面選択釦１１ｅを押下することによって、後述する図３に示す通知先情報入力画面１１ｃに切り換えることができる。
【００４１】
以下、上述した小児用ＩＣカード（ＳＦ乗車券）を定期券として使用する場合の個人情報及び乗車情報は以下の通りである。  
名前    ヤマダ  ハナコ
性別    ：女
生年月日：平成０８年１０月１０日
年齢    ：１２
乗車区間：川崎―東京
定期券種別：小児  一般
期間    ：２１年０１月０１日  から  ２１年０３月３１日
発行日  ：２０年１０月０１日
上述したデータは、利用者から提出された定期券申込用紙又はＳＦ乗車券の購入申込用紙に記載されたデータに基づいて登録される。
【００４２】
上記利用者（ヤマダ  ハナコ）の場合、当該ＩＣカードはＳＦ乗車券として平成２０年１０月１日に発行され、小児乗車券として使用していたが、平成２１年１月１日から３月３１日まで川崎―東京間の小児定期券を購入した場合を示す。
【００４３】
このＩＣカードの場合、上述したように平成２１年３月３１日までは、小児乗車券として小児運賃による鉄道利用が可能である。また、平成２１年１月１日から３月３１日までは小児用定期券として川崎―東京間の鉄道利用が可能である。
【００４４】
しかしながら、平成２１年４月１日以降は、１２才経過後の３月３１日を経過しており、上記小児運賃による利用はできないため、現行の運用上は、小児用定期券はもとより、小児乗車券としても使用できない。
【００４５】
従って、現行方式では、当該利用者（ヤマダ  ハナコ）が当年４月１日に当該小児乗車券を自動改札機に使用した場合には通行が拒否される。この場合には、当該利用者は改札窓口に出向き、駅窓口に設置された窓口機又は上述した定期券発行機により乗車券種別を小児・一般から大人・一般に変更してもらう必要がある。
【００４６】
図３は、図２に示す定期券発行機１０の操作表示部１１に表示された通知先情報からなる第２の情報を入力する通知先情報入力画面１１ｆの一例である。この通知先情報入力画面１１ｆは、ＳＦカード又は定期券の購入者が定期券の購入と同時に提出した通知先情報に基づいて操作表示部１１に表示された通知先情報入力画面１１ｃである。係員は、この画面に通知先情報を入力する。なお、全画面選択釦１１ｇを押下することによって、図２に示す定期券情報入力画面１１ｄに切り換えることができる。
【００４７】
このようにして、個人情報、乗車情報及び通知先情報の入力が終了したとき入力完了釦１１ｈを押下することにより入力処理が終了する。
【００４８】
また、以上の操作によって個人情報、乗車情報及び通知情報を変更することができるのは言うに及ばない。
【００４９】
また、定期券としての使用を行わないＳＦカードとして使用する場合も、ＳＦカード情報入力画面（図示しない）から、上記乗車区間の入力を必要としないだけであり、同様の操作によって発行することができる。
【００５０】
図４は、図２に示す定期券発行機１０の操作表示部１１に表示された自動券種変更情報からなる第３の情報を入力する自動券種変更入力画面１１ｉの一例である。この自動券種変更入力画面１１ｉは、ＳＦカード又は定期券の購入者が定期券の購入と同時に提出した通知先情報に基づいて操作表示部１１に表示された自動券種変更入力画面である。係員は、この画面に自動券種変更を行うか否かの可否を入力する。
【００５１】
この自動券種変更入力画面は、有効期限が切れた場合に自動で券種変更を行うかどうかを入力する。入力後は入力完了釦１１ｊを押下する。なお、図示した例は、入力後の状態であるが、「自動変更する」又は「自動変更しない」の何れか選択された方が表示される。
【００５２】
図５は、上位サーバ１３０に登録された通知先情報の一例である。サーバ３０は、定期券発行機１０からの要求に応じて個人情報、乗車情報及び通知先情報に共通な識別情報を付与する。なお、この識別情報は、センターシステムとしての上位サーバ１３０が駅務情報の全てを管理している場合には、上位サーバ１３０が発行した識別情報を受信し、その識別情報を付与する場合がある。本実施例では、上位サーバ１３０が個人情報、乗車情報及び通知先情報を管理することを前提に説明する。
【００５３】
なお、この通知情報は、識別情報に関連付けられた名前、電子メールアドレス（Ｅメールアドレス）及び電話番号からなる通知先と、この通知先情報に通知されるメール文言及び音声案内用文言からなる通知文言で構成される。
【００５４】
図示した本実施例の通知先情報は、個人を識別するための識別情報としての識別番号、名前、Ｅメールアドレス及び自動券種変更を「する」又は「しない」からなる情報によって構成され、この識別番号（識別情報）に関連付けて記憶手段に記憶される。従って、本実施例の場合、当該識別番号の数だけ登録可能である。このようにして登録されたデータによってデータベースが形成される。
【００５５】
図示した例は、定期券の申込者である山田花子が申込用紙にＥメールアドレス＊＊＊＠＊＊＊、電話番号０４４−１１−１１１、及び自動券種変更「する」を記載して申し込んだ場合の一例を示しており、識別番号０００１が付与されて上位サーバ１３０に登録される。識別番号０００２の場合には自動券種変更「しない」が上位サーバ１３０に登録される。他の識別番号の場合も同様である。
【００５６】
図６は、ＩＣカードに記憶されたエンコード情報を示す図である。このエンコード情報には、図５に示す識別番号及、名前、券種、カード有効期限、自動券種フラグ及びその他の情報で構成される。識別番号０００１のエンコード情報は下記の通りである。  
識別番号      ：０００１
名前          ：山田花子
券種          ：小児
カード有効期限：２００９年３月３１日
自動券種変更フラグ：ＯＮ（する）
となる。
【００５７】
一方、識別番号０００３のエンコード情報は、大人であるため、カード有効期限は無期限となり期限の限定がなく、従って自動券種変更フラグに関する情報もなく下記の通りである。
【００５８】
識別番号      ：０００３
名前          ：山本三郎
券種          ：大人
識別番号０００２は小児で自動券種変更フラグがＯＦＦ（しない）の場合のエンコード情報の一例であり、識別番号０００４は小児で自動券種変更フラグがＯＮ（する）の場合のエンコード情報の一例である。
【００５９】
図７は、自動券種変更「する」又は「しない」場合の通知情報の内容である。  
（１）は自動券種変更する場合の通知情報としてのＥメールの通知文章である。  
（２）は自動券種変更する場合の通知情報としての電話音声による音声案内である。  
（３）は自動券種変更しない場合の通知情報としてのＥメールの通知文章である。  
（４）は自動券種変更しない場合の通知情報としての電話音声による音声案内である。
【００６０】
この情報は、以下に示すサーバによる券種変更処理の中で使用される。
【００６１】
図８は、本発明に係る小児ＩＣカード発行処理のフローチャートである。
【００６２】
駅係員は、申込用紙に記載された定期券情報（個人情報）を入力する（Ｓ０１）。次に、通知先情報を入力する（Ｓ０２）。次に、自動券種変更を行うかどうかを入力する（Ｓ０３）。次に、ＩＣカード（乗車券）を発行する（Ｓ０３）。次に、通知先情報を上位サーバ１３０（サーバ３０を介して上位サーバ１３０に送信する。）に送信する。
【００６３】
図９は、自動改札機による券種変更処理のフローチャートである。図８に示した小児ＩＣカード発行処理に基づいて作成されたＩＣカードを乗車券として使用し、自動改札機により券種変更処理が行われる場合の処理を説明する。
【００６４】
小児用ＩＣカードが有効期限切れであるか判定する（Ｓ１、有効期限切れ判定手段）。この判別の結果、小児用ＩＣカードでない場合には（Ｓ１のＮＯ）、処理が行われずにＥＮＤになる。
【００６５】
ステップＳ１の判定の結果、小児用ＩＣカードが有効期限切れの場合（Ｓ１０のＹｅｓ）、自動券種変更フラグがオン（自動券種変更を行う）かオフ（自動券種変更を行わない）か判定する（Ｓ１１、自動券種変更判定手段）。この判定の結果、自動券種変更を行う場合（Ｓ１１のＹｅｓ）、ＩＣカードの券種を小児から大人に変更する（Ｓ１２、自動券種変更手段）。
【００６６】
ＩＣカードを大人に変更した場合には、大人のＩＣカードの有効期限はない（いつまででも使える）ので、ＩＣカードの有効期限をクリアする（Ｓ１３）。
【００６７】
上記自動券種変更手段による変更に基づき大人乗車券として当該自動改札機で乗車判定を行う（乗車判定手段）。この乗車判定手段により、自動改札機の通行の可否が行われる。
【００６８】
次に、乗車券の識別情報を読み込む（Ｓ１４）。読み込んだ識別情報を上位サーバ１３０に送信する（Ｓ１５、識別情報送信手段）。なお、本実施例では、上述したように、サーバ３０を介して上位サーバ１３０に送信することになる。
【００６９】
図１０は、上位サーバ１３０による券種変更処理である。
【００７０】
自動改札の識別情報送手段から送信された識別情報を受信する（Ｓ２０）。
【００７１】
受信した識別情報をインデックスとして通知先情報を検索する（Ｓ２１）。
【００７２】
通知先情報にＥメールアドレスが登録されているか確認する（Ｓ２２）。この確認の結果、Ｅメールアドレスが登録されている場合（Ｓ２２のＹｅｓ）、自動券種変更を行うか確認する（Ｓ２３）。
【００７３】
自動券種変更を行う場合（Ｓ２３のＹｅｓ）：
Ｅメールアドレスに通知情報として図７（１）記載のメール文章を送信する（Ｓ２４）。
【００７４】
自動券種変更を行わない場合（Ｓ２３のＮｏ）：
Ｅメールアドレスに通知情報として図７（３）記載のメール文章を送信する（Ｓ２５）。
【００７５】
ステップＳ２２において、Ｅメールアドレスが登録されていない場合（Ｓ２２のＮｏ）であって、通知先情報に電話番号が登録されているか確認する。この確認の結果、電話番号が登録されている場合（Ｓ２６のＹｅｓ）、自動券種変更を行うか確認する（Ｓ２７）。
【００７６】
自動券種変更を行う場合（Ｓ２７のＹｅｓ）：
電話番号先に通知情報として図７（２）記載の自動音声案内を行う（Ｓ２８）。
【００７７】
自動券種変更を行わない場合（Ｓ２７のＮｏ）：
電話番号先に通知情報として図７（４）記載の自動音声案内を行う（Ｓ２９）。
【００７８】
以上説明したように、本発明の実施例によれば、小児用ＩＣカードが有効期限切れになった場合、当該自動改札機は、当該小児用ＩＣカードの券種を小児から大人に変更してチャージ機能を有効にし、かつ、事前に登録した通知先に、小児用ＩＣカードの期限切れ情報をＥメール又は電話により通知することができるため、当該ＩＣカードが有効期限切れになっても継続して使用することができる。その結果、駅係員が小児から大人への券種変更作業をする必要がなくなり、利用者及び駅係員の両方の使い勝手が向上する。
【符号の説明】
【００７９】
Ｔ  ＩＣカード
１０  定期券発行機
１１  操作表示部
１２  ＩＣカード出入口
１４  申込用紙出入口
２０ａ、２０ｂ  自動改札装置
３０ａ、３０ｂ、３０ｃ、３０ｄ  サーバ
４０  構内ネットワーク
１３０  上位サーバ
１４０  ネットワーク
２４０  ネットワーク
３００  通信端末
３０１  電話
３０２  携帯
３０３  ＰＣ
【図１】
2011113507.tif 000003
【図２】
2011113507.tif 000004
【図３】
2011113507.tif 000005
【図４】
2011113507.tif 000006
【図５】
2011113507.tif 000007
【図６】
2011113507.tif 000008
【図７】
2011113507.tif 000009
【図８】
2011113507.tif 000010
【図９】
2011113507.tif 000011
【図１０】
2011113507.tif 000012